(57)【要約】【課題】ザグリ面を設けることにより、十分に締め付けることができるとともに、ザグリ面を介して水の侵入を防止することが可能なオーガ式製氷機を提供することことを目的とする。【解決手段】オーガ式製氷機１は、内部にオーガ１５を有する冷凍ケーシング１８と、前記オーガ１５の回転駆動を行うギャードモータ２とを備えている。冷凍ケーシング１８及び氷圧縮ヘッド２１を相互に締結固定するボルトＢ１を貫通孔１８Ａ及びネジ穴２１Ａに差し込むために、ボルト頭部側が位置する冷凍ケーシング１８にザグリ面Ｚ１を形成し、前記ザグリ面Ｚ１と密接するテーパ面Ｂ５を有するシール部材Ｂ４を前記ボルト頭部Ｂ２側に設けた。【選択図】図３
2004093077.tif 000002
【特許請求の範囲】
【請求項１】
内部にオーガを有する筒状の冷凍ケーシングと、前記オーガの回転駆動を行うギャードモータとを備えたオーガ式製氷機において、
２個の構成部品を相互に締結固定するボルトをネジ穴に差し込むために、ボルト頭部側が位置する構成部品にザグリ面を形成し、
前記ザグリ面と密接するシール部材を前記ボルト頭部側に設けたことを特徴とするオーガ式製氷機。
【請求項２】
請求項１に記載のオーガ式製氷機において、
前記筒状の冷凍ケーシングにザグリ面を形成し、前記ボルトは、前記筒状の冷凍ケーシングと前記オーガの上方に配置される氷圧縮ヘッドとを締結固定し、または、前記筒状の冷凍ケーシングと前記オーガの下方に配置されるハウジングとを締結固定することを特徴とするオーガ式製氷機。
【請求項３】
請求項１または請求項２に記載のオーガ式製氷機において、前記シール部材は、突状の段差部があるテーパ面を備えることを特徴とするオーガ式製氷機。
【請求項４】
請求項３に記載のオーガ式製氷機において、
前記シール部材は、傾きが急なテーパ面と傾きが緩やかなテーパ面とを備えることを特徴とするオーガ式製氷機。
【発明の詳細な説明】
【０００１】
【発明の属する技術分野】
本発明は、ギャードモータを介して冷凍ケーシングの内部でオーガを回転させながら、冷凍ケーシング内に供給された製氷水を氷結させてフレーク状の氷を製造するオーガ式製氷機に関するものである。
【０００２】
【従来の技術】
従来より、各種のオーガ式製氷機が提案されており、例えば、下記特許文献１に記載されているオーガ式製氷機は、筒状の冷凍ケーシングの内部で、その上部に配置された氷圧縮ヘッドと下部に配置されたハウジングとを介してオーガ（スクリュウ）を回転可能に支持し、ハウジング内でオーガの下端部に連結されるギャードモータを介してオーガを回転させながら冷凍ケーシング内に供給された製氷水を氷結してフレーク状の氷を製造するように構成されている。前記オーガ式製氷機において、オーガの下端部を回転可能に支持するハウジングは、ボルトを介して冷凍ケーシングの下部に締結固定されており、また、ハウジングとギャードモータとは同様にボルトを介して相互に締結固定されている。更に、ギャードモータの減速装置は通常上下一対のケースを有するとともに、各ケースはボルトを介して相互に締結固定されており、また、ギャードモータ自体もボルトを介してベース（製氷機固定ベース）に締結固定されている。更に、オーガの上端部を回転可能に支持する氷圧縮ヘッド（押圧頭）が冷凍ケーシングの上部に配置されており、この氷圧縮ヘッドはボルト等の固定具を介して冷凍ケーシングに締結固定されている。前記したオーガ式製氷機を構成する各構成部品相互をボルトにより締結固定するに際しては、ボルトの頭部の内側に設けられた弾性シール部材を備え、締結固定時に弾性シール部材を弾性変形してボルトの頭部の内側からネジ部への水の侵入を防止するように構成したので、結露した水等によってボルトのネジ部が晒されることがなくなり、ボルトのネジ部が錆び付くのを防止することができる。
【０００３】
【特許文献１】
特開２００１−３３６８６６号公報（第３頁乃至第８頁、図６）
【０００４】
【発明が解決しようとする課題】
しかし、前記ボルトの頭部の内側に弾性シール部材を備える構成部品の場合、ザグリ面を設けていないため、十分に締め付けることができず、密着性が悪くなるおそれがあった。
そこで、本発明は、上述した問題を解決するためになされたものであり、ザグリ面を設けることにより、十分に締め付けることができるとともに、ザグリ面を介して水の侵入を防止することが可能なオーガ式製氷機を提供することを目的する。
【０００５】
【課題を解決するための手段】
前記目的を達成するため請求項１に係る発明によれば、内部にオーガを有する筒状の冷凍ケーシングと、前記オーガの回転駆動を行うギャードモータとを備えたオーガ式製氷機において、２個の構成部品を相互に締結固定するボルトをネジ穴に差し込むために、ボルト頭部側が位置する構成部品にザグリ面を形成し、前記ザグリ面と密接するシール部材を前記ボルト頭部側に設けたことを特徴とする。
【０００６】
請求項１に係るオーガ式製氷機によれば、２個の構成部品を締結固定するボルトをネジ穴に差し込む場合、ボルト頭部側に設けたシール部材がザグリ面と密接するので、ザグリ面を介して水の侵入または漏水を防止することが可能となる。
【０００７】
請求項２に係る発明によれば、請求項１に記載のオーガ式製氷機において、前記筒状の冷凍ケーシングにザグリ面を形成し、前記ボルトは、前記筒状の冷凍ケーシングと前記オーガの上方に配置される氷圧縮ヘッドとを締結固定し、または、前記筒状の冷凍ケーシングと前記オーガの下方に配置されるハウジングとを締結固定することを特徴とする。
【０００８】
請求項２に係るオーガ式製氷機によれば、前記筒状の冷凍ケーシングのザグリ面とシール部材とが密接するので、筒状の冷凍ケーシング内側の水が、ザグリ面を介して冷凍ケーシング外側へ出ることを防止することが可能となる。
【０００９】
請求項３に係る発明によれば、請求項１または請求項２に記載のオーガ式製氷機において、前記シール部材は、突状の段差部があるテーパ面を備えることを特徴とする。
【００１０】
請求項３に係るオーガ式製氷機によれば、前記シール部材は、突状の段差部があるテーパ面を備えるため、突状の段差部があるテーパ面がザグリ面と密接する際に突状の段差部に荷重が集中してシールするので、ザグリ面を介して水の侵入または漏水を防止することが可能となる。
【００１１】
請求項４に係る発明によれば、請求項３に記載のオーガ式製氷機において、前記シール部材は、傾きが急なテーパ面と傾きが緩やかなテーパ面とを備えることを特徴とする。
【００１２】
請求項４に係るオーガ式製氷機によれば、前記シール部材は、傾きが急なテーパ面と傾きが緩やかなテーパ面とを備えるため、締結固定時に傾きが急なテーパ面または傾きが緩やかなテーパ面のいずれかが、ザグリ面と密接するので、ザグリ面を介して水の侵入または漏水を防止することが可能となる。
【００１３】
【発明の実施の形態】
以下、本発明に係るオーガ式製氷機につき具体化した実施形態に基づいて図面参照しつつ詳細に説明する。図１は、本実施の形態のオーガ式製氷機を示す模式断面図、図２はオーガ式製氷機の分解斜視図である。
【００１４】
図１、図２に示すオーガ式製氷機１において、その下部にはギャードモータ２が配設されており、このギャードモータ２は、駆動モータ３と減速装置４とが一体に構成されている。駆動モータ３は単相１００Ｖで駆動され、また、減速装置４内に設けられた減速機構には平行軸平歯車３段方式が使用されている。また、減速装置４は、アルミダイキャスト製の下カバー４Ａ及び上カバー４Ｂを有し、下カバー４Ａと上カバー４Ｂとは、複数個の六角穴付ボルト５を介して相互に締結されている。更に、ギャードモータ２は、長尺状の六角穴付ボルト５’を各上カバー４Ａ、下カバー４Ｂに貫通させることにより、図示しないベース（オーガ式製氷機１を固定するためのベース）に対して固定されている。
【００１５】
減速装置４の上カバー４Ｂには連結口６が設けられており、この連結口６には減速機構の出力軸７が臨んでいる。出力軸７にはスプライン継手８の下端が取り付けられ、また、スプライン継手８の上端は後述するオーガ１５の下端部に連結されている。連結口６の周囲に形成された上カバー４Ｂのフランジ部９は、ハウジング１０の下部に形成されたフランジ部１１と重ね合わされ、複数箇所で六角穴付ボルト５とこの六角穴付ボルト５の頭部側に配置された座金１３を介して相互に締結されている。ハウジング１０は、ギャードモータ２と冷凍ケーシング１８とを相互に接続固定する作用を行うものである。
【００１６】
オーガ１５はステンレスから形成されており、その周囲に螺旋状のオーガ歯１５Ａを有する。かかるオーガ歯１５Ａは、筒状の冷凍ケーシング１８内で成長したシャーベット状の氷を冷凍ケーシング１８の内壁から剥ぎ取りながら冷凍ケーシング１８の上方に向かって押し上げる作用を行う。また、オーガ１５の下端部１５Ｂは、ハウジング１０内でスプライン継手８の上端に連結されている。これにより、オーガ１５は、ギャードモータ２（駆動モータ３、減速装置４）、及び、スプライン継手８を介して、ゆっくりと回転され、その回転に伴って冷凍ケーシング１８内で成長した氷を上方に押し上げる。
尚、オーガ１５の下端部１５Ｂの上方位置にはメカニカルシール１６が配置され、このメカニカルシール１６は、冷凍ケーシング１８内に供給される製氷水が漏出しないようにシールを行うものである。また、Ｏリング１７が、ハウジング１０の周壁に配置されている。
【００１７】
冷凍ケーシング１８はステンレス製の製氷シリンダ１９を有しており、また、その外周壁は断熱材（発砲ポリウレタン）から形成されている。シリンダ１９のシリンダ壁１９Ａの外周には銅製の冷却パイプ２０が巻かれている。冷却パイプ２０は、公知の冷凍ユニット（コンプレッサ、コンデンサ等からなる）に接続されている。そして、冷却パイプ２０内に導入された冷媒は、急激な圧力低下に基づいて冷却パイプ２０内で蒸発され、この時に、多量の気化熱を奪うことから、製氷シリンダ１９内の温度が急激に低下されるとともに、製氷シリンダ１９におけるシリンダ壁１９Ａの内面の製氷水が氷結されるものである。
【００１８】
冷凍ケーシング１８の上部位置において、製氷シリンダ１９内の上端部には、ステンレス製の氷圧縮ヘッド２１が嵌合されており、かかる氷圧縮ヘッド２１と製氷シリンダ１９の上部とは、座金２２を介して六角穴付ボルトＢ１（後述）により複数箇所にて締結固定されている。
また、氷圧縮ヘッド２１の内部には、樹脂製の軸受（図示せず）が嵌着されており、この軸受には、製氷シリンダ１９内に挿通されたオーガ１５の上端部１５Ｃが回転可能に支持されている。更に、オーガ１５における上端部１５Ｃの頂部には、座金２３を介してカッタ２４が六角ボルト２５により固定されており、カッタ２４はオーガ１５の回転に従って回転される。ここに、氷圧縮ヘッド２１は固定刃としての作用を行い、前記のようにオーガ１５を介して製氷シリンダ１９内を上方に押し上げられたシャーベット状の氷は、氷圧縮ヘッド２１により圧縮されて柱状の氷となるとともに、カッタ２４を介して削られてフレーク状の氷が生成されるものである。このように生成されたフレーク状の氷は、氷排出部３１から矢印Ａ方向に排出される。
【００１９】
また、冷凍ケーシング１８の上部には、排水パイプ２６が一体に形成された露受皿２７が配設されており、この露受皿２７は、六角穴付ボルトＢ１の付近から漏水する製氷水を受けるとともに、排水パイプ２６を介して排出するものである。更に、冷凍ケーシング１８の下部には、製氷シリンダ１９の内部に連通する吸水口２８が形成されている。この吸水口２８には、公知の製氷水供給タンクが連結されており、吸水口２８から矢印２８Ｂ方向に沿って製氷シリンダ１９内に供給された製氷水が製氷シリンダ１９内で前記のように製氷されるものである。
更に、冷凍ケーシング１８の下部位置において、製氷シリンダ１９の内部には前記したハウジング１０が配設されており、冷凍ケーシング１８の下部とハウジング１０とは、六角穴付ボルトＢ１により複数箇所にて締結固定されている。
【００２０】
次に、氷圧縮ヘッド２１と冷凍ケーシング１８の上部との締結固定との関係について図３乃至図６に基づき説明する。図３は、実施形態に係る氷圧縮ヘッド２１と冷凍ケーシング１８との締結固定を示す要部断面図である。図４は、実施形態に係るボルトＢ１を示す正面図である。図５（ａ）は、傾きが緩やかなザグリ面Ｚ１とシール部材Ｂ４のテーパ面との関係を、見やすくして示す要部断面図である。図５（ｂ）は、傾きが緩やかなザグリ面Ｚ１とシール部材Ｂ４のテーパ面との締結状態を示す要部断面図である。図６（ａ）は、傾きが急なザグリ面Ｚ１とシール部材Ｂ４のテーパ面Ｂ５との関係を、見やすくして示す要部断面図である。図６（ｂ）は、傾きが急なザグリ面Ｚ１とシール部材Ｂ４のテーパ面Ｂ５との締結状態を示す要部断面図である。
【００２１】
筒状の冷凍ケーシング１８の内側には、図３に示すように、氷圧縮ヘッド２１が設けられている。冷凍ケーシング１８には、貫通孔１８Ａが設けられており、貫通孔１８Ａの外側には、ザグリ面Ｚ１が形成されている。氷圧縮ヘッド２１には、ネジ穴２１Ａが形成され、氷圧縮ヘッド２１と冷凍ケーシング１８とを締結固定する際に、ボルトＢ１が貫通孔１８Ａ及びネジ穴２１Ａに差し込まれる。
ボルトＢ１は、図４に示すように、頭部Ｂ２及びネジ部Ｂ３を備えており、頭部Ｂ２側には、六角穴Ｂ２ａが形成されている。ネジ部Ｂ３の頭部Ｂ２側には、シール部材Ｂ４が設けられており、シール部材Ｂ４は、貫通孔１８Ａの外側のザグリ面Ｚ１と密接するテーパ面Ｂ５を備えている。この場合、シール部材Ｂ４のテーパ面Ｂ５は、傾きが緩やかなテーパ面Ｂ５ａ（テーパ角度Ｑ１）と、傾きが急なテーパ面Ｂ５ｂ（テーパ角度Ｑ２）とを備え、２段のテーパ角度Ｑ１、Ｑ２が形成されることにより、テーパ面Ｂ５ａ及びテーパ面Ｂ５ｂが交差する部分に、突状の段差部であるリップ部Ｂ６が形成されることになる。このようなリップ部Ｂ６が形成され、ボルトＢ１をネジ穴に差し込み、締結固定すると、リップ部Ｂ６に集中的な荷重が掛かるので、より良いシールが得られる。テーパ角度Ｑ１及びテーパ角度Ｑ２は、例えば３０度乃至６０度が好ましい。
【００２２】
尚、シール部材Ｂ４は、例えば熱可塑性ポリエーテルエステルエラストマーからなり、強度は、Ｄ（ジュロメータ）４０程度の硬度が好ましいが、Ｄ３５乃至Ｄ７０程度の硬度であってもよい。シール部材Ｂ４として、一般的にナイロンを使用できるが、ナイロンの場合硬度が高く、ザグリ面Ｚ１の形状に追従することは難しいが、Ｄ４０程度の硬度の熱可塑性ポリエーテルエステルエラストマーを使用する場合、ザグリ面Ｚ１の形状に追従することができる。
【００２３】
また、傾きが急なテーパ面Ｂ５ｂの頭部Ｂ２側には、テーパ角度Ｑ４のテーパ面Ｂ７が形成され、テーパ面Ｂ７の頭部Ｂ２側には、テーパ角度Ｑ３のテーパ面Ｂ８が形成されているが、テーパ角度Ｑ４がテーパ角度Ｑ３より大きいため、テーパ面Ｂ７は、テーパ面Ｂ８より傾きが急となる。
貫通孔１８Ａの外側のザグリ面Ｚ１は、図５（ａ）及び図６（ａ）に示すような角度θｚ１、θｚ２であり、角度θｚ１が角度θｚ２より大きいため、図５（ａ）に示すザグリ面Ｚ１は、図５（ｂ）に示すように、傾きが緩やかなテーパ面Ｂ５ａと密接するのに対して、図６（ａ）に示すザグリ面Ｚ１は、図６（ｂ）に示すように、傾きが急なテーパ面Ｂ５ｂと密接することになる。このようにザグリ面Ｚ１として傾きが急であったり、傾きが緩やかであっても、シール部材Ｂ４の２段のテーパ面Ｂ５における傾きが緩やかなテーパ面Ｂ５ａまたは傾きが急なテーパ面Ｂ５ｂが密接するので、シール性が向上する。
また、氷圧縮ヘッド２１と冷凍ケーシング１８の上部との締結固定との場合と同様に、冷凍ケーシング１８の下方にザグリ面（図示せず）を形成し、前記ボルトＢ１は、前記筒状の冷凍ケーシング１８とオーガ１５の下方に配置されるハウジング１０とを締結固定する。
【００２４】
以上、詳述した実施の形態によれば、内部にオーガ１５を有する冷凍ケーシング１８と、前記オーガ１５の回転駆動を行うギャードモータ２とを備えるオーガ式製氷機１において、冷凍ケーシング１８及び氷圧縮ヘッド２１を相互に締結固定するボルトＢ１を貫通孔１８Ａ及びネジ穴２１Ａに差し込むために、ボルト頭部Ｂ２側が位置する冷凍ケーシング１８にザグリ面Ｚ１を形成し、前記ザグリ面Ｚ１と密接するテーパ面Ｂ５を有するシール部材Ｂ４を前記ボルト頭部Ｂ２側に設けた。それにより、ボルト頭部Ｂ２側に設けたシール部材Ｂ４のテーパ面Ｂ５がザグリ面Ｚ１と密接するので、ザグリ面Ｚ１を介して水の侵入または漏水を防止することが可能となる。
冷凍ケーシング１８の外部で結露した水、及び、露受皿２７からこぼれた水は、必ずしも衛生的でなくザグリ面Ｚ１を介して冷凍ケーシング１８内に入ると、衛生上問題が生じえるが、ザグリ面Ｚ１を介して水の侵入を防止することにより、衛生上の問題が生じえない。また、ザグリ面Ｚ１を介して漏水を防止することにより、ボルト頭部Ｂ２が水に晒されることがなくなるので、錆び付くのを防止することができる。
【００２５】
尚、本発明は、前記実施形態に限定されるものではなく、本発明の要旨を逸脱しない範囲内で種々の改良、変形が可能であることは勿論である。例えば、前記実施形態の変形例として、シール部材Ｂ４の内側にネジ溝Ｂ９を形成し、図７に示すように、シール部材Ｂ４をボルトＢ１のネジ部Ｂ３に沿って取り外し可能にすることができる。このようにシール部材Ｂ４を取り外し可能にすると、一般のボルトに対しても再利用することができる。そして、シール部材Ｂ４が劣化した場合でも、ボルトＢ１を再利用することができ、シール部材Ｂ４の交換だけで済む。
また、本発明の実施の形態は上述した例に限らず、様々な形態に応用が可能である。テーパ面を有するシール部材を頭部側に設けたボルトを用いて、例えば、減速装置４の下ケース４Ａと上ケース４Ｂとの締結固定に用いてもよいし、ギャードモータ２とハウジング１０との締結固定に用いてもよいし、ギャードモータ２とベースとの締結固定に用いてもよい。
【００２６】
【発明の効果】
請求項１に係る発明によれば、内部にオーガを有する冷凍ケーシングと、内部にオーガを有する筒状の冷凍ケーシングと、前記オーガの回転駆動を行うギャードモータとを備えたオーガ式製氷機において、２個の構成部品を相互に締結固定するボルトをネジ穴に差し込むために、ボルト頭部側が位置する構成部品にザグリ面を形成し、前記ザグリ面と密接するシール部材を前記ボルト頭部側に設けたので、２個の構成部品を締結固定するボルトをネジ穴に差し込む場合、ボルト頭部側に設けたシール部材がザグリ面と密接し、ザグリ面を介して水の侵入または漏水を防止することが可能となる。
【００２７】
請求項２に記載の本発明によれば、前記筒状の冷凍ケーシングにザグリ面を形成し、前記ボルトは、前記筒状の冷凍ケーシングと前記オーガの上方に配置される氷圧縮ヘッドとを締結固定し、または、前記筒状の冷凍ケーシングと前記オーガの下方に配置されるハウジングとを締結固定するので、筒状の冷凍ケーシング内側の水が、ザグリ面を介して冷凍ケーシング外側へ出ることを防止することが可能となる。
【００２８】
請求項３に記載の本発明によれば、前記シール部材は、突状の段差部があるテーパ面とを備えるため、テーパ面がザグリ面と密接する際に突状の段差部に荷重が集中してシールするので、ザグリ面を介して水の侵入または漏水を防止することが可能となる。
【００２９】
請求項４に記載の本発明によれば、前記シール部材は、傾きが急なテーパ面と傾きが緩やかなテーパ面とを備えるため、締結固定時に傾きが急なテーパ面または傾きが緩やかなテーパ面のいずれかが、ザグリ面と密接するので、ザグリ面を介して水の侵入または漏水を防止することが可能となる。
【図面の簡単な説明】
【図１】本発明の一実施形態に係るオーガ式製氷機の全体概略図である。
【図２】実施形態に係るオーガ式製氷器の分解斜視図である。
【図３】実施形態に係る氷圧縮ヘッドと冷凍ケーシングとの締結固定を示す要部断面図である。
【図４】実施形態に係るボルトを示す正面図である。
【図５】傾きが緩やかなザグリ面とシール部材とを示す要部断面図である。
【図６】傾きが急なザグリ面とシール部材とを示す要部断面図である。
【図７】他の実施形態に係るボルトを示す正面図である。
【符号の説明】
５、５’、Ｂ１・・・六角穴付ボルト、Ｂ２・・・頭部、Ｂ６・・・リップ部
Ｂ３・・・ネジ部、Ｂ４・・・シール部材、Ｂ５・・・テーパ面
Ｂ５ａ・・・傾きが緩やかなテーパ面、Ｂ５ｂ・・・傾きが急なテーパ面
１０・・・ハウジング、１５・・・オーガ、Ｚ１・・・ザグリ面
１５Ｂ・・・オーガの下端部、１５Ｃ・・・オーガの上端部、
１８・・・冷凍ケーシング、１９・・・製氷シリンダ、２０・・・冷却パイプ、２１・・・氷圧縮ヘッド
【図１】
2004093077.tif 000003
【図２】
2004093077.tif 000004
【図３】
2004093077.tif 000005
【図４】
2004093077.tif 000006
【図５】
2004093077.tif 000007
【図６】
2004093077.tif 000008
【図７】
2004093077.tif 000009